(57)【要約】【課題】着用者の衣服や他の吸収性物品などが着用者の身体からずれた際の着用者の肌からのずれを抑制した吸収性パッドを提供する。【解決手段】合成樹脂裏面シート11，12を積層して裏面シート２を形成する。積層した合成樹脂裏面シート11，12が両側の幅方向フラップ部６，６にて互いに連続する連続部13，13を形成する。各合成樹脂裏面シート11，12が外力を受けて接触面でずれ動くことが可能になり、衣服、あるいは併用する他の吸収性物品のずれにより、非肌当接側合成樹脂裏面シート12がずれ動いた場合でも、肌当接側合成樹脂裏面シート11、吸収体３および表面シート１が着用者の身体の一部と接触しているためずれに連動することがなく、表面シート１、吸収体３および肌当接側合成樹脂裏面シート11の着用者の肌からのずれを抑制できる。【選択図】図１
2008012058.tif 000002
【特許請求の範囲】
【請求項１】
表面シートと、裏面シートと、これら表面シートと裏面シートとの間に配設された吸収体とを有し、この吸収体の長手方向および幅方向の外方に、それぞれ長手方向フラップ部と幅方向フラップ部とが形成された使い捨て吸収性物品であって、
前記裏面シートは、複数の合成樹脂シートが積層されて形成され、
積層された前記合成樹脂シートは、両側の前記幅方向フラップ部の少なくとも一部にて、これら合成樹脂シート同士が連続して形成された連続部を備えている
ことを特徴とした使い捨て吸収性物品。
【請求項２】
連続部は、幅方向両側部に長手方向に沿って形成され、
積層された合成樹脂シート同士は、前記連続部以外の部分が接合されていない
ことを特徴とした請求項１記載の使い捨て吸収性物品。
【請求項３】
連続部は、幅方向両側部に長手方向に沿って形成され、
積層された合成樹脂シート同士は、長手方向フラップ部の少なくとも一部にて接合されている
ことを特徴とした請求項１記載の使い捨て吸収性物品。
【請求項４】
積層された合成樹脂シート同士は、長手方向フラップ部の少なくとも一部にて、それぞれ接合されている
ことを特徴とした請求項１記載の使い捨て吸収性物品。
【請求項５】
積層された合成樹脂シート同士の接触面での静摩擦係数が、０．６以下に設定されている
ことを特徴とした請求項１ないし４いずれか一記載の使い捨て吸収性物品。
【請求項６】
積層された合成樹脂シートの間に、静摩擦係数が０．５以下である中間合成樹脂シートが配設されている
ことを特徴とした請求項１ないし５いずれか一記載の使い捨て吸収性物品。
【請求項７】
積層された合成樹脂シート同士の内面に潤滑剤が塗布されている
ことを特徴とした請求項１ないし５いずれか一記載の使い捨て吸収性物品。
【発明の詳細な説明】
【技術分野】
【０００１】
本発明は、子供用、大人用、あるいは失禁用の使い捨て吸収性物品に関する。
【背景技術】
【０００２】
従来、この種の使い捨て吸収性物品としては、四角形状の透液性の表面シートと、四角形状の不透液性の裏面シートとの間に吸収体を配設し、この吸収体の外方に、表面シートと裏面シートとによりフラップ部を形成したものがある。
【０００３】
このような使い捨て吸収性物品の装着に際しては、着用者の肌と吸収性物品とが接触する部分において、何らかの原因で様々なスキントラブルを招くことがある。
【０００４】
例えば、着用者の肌と、この肌に接する表面シートとの相性が悪いために、着用者の肌にスキントラブルが発生することがあり、この場合には、肌触りが良好な表面シートを選定したり、表面シートにローションを塗布したりするなどの対策が採られている。
【０００５】
一方、着用した吸収性物品が着用者の肌からずれてしまい、表面シートと肌とのこすれによってスキントラブルが発生することもある。すなわち、着用する吸収性物品は、これと接触する衣服、あるいは併用する他の吸収性物品などが着用者の身体からずれるときに連動し、その結果、肌に着用する吸収性物品自体も着用者の肌からずれてしまう。
【０００６】
さらに、通常の吸収性物品は、裏面シート側にずれが生じると、表面シート側もそれに連動してずれてしまう。
【０００７】
そこで、裏面シートの動きと表面シートの動きとが連動しないようにした吸収性物品が知られている（例えば、特許文献１ないし３参照。）。この吸収性物品は、この吸収性物品の変動およびずれなどによる体液の横漏れ防止のために、上下に配設された吸収体がそれぞれ単独で吸収性物品の幅方向へと移動できるように構成したもので、したがって、下層の吸収体に接合される裏面シートと上層の吸収体に接合される表面シートとが連動しないため、吸収性物品の変形、および、ずれなどによる体液の横漏れ防止効果の他に、上述した表面シートと肌との擦れによって生じするスキントラブルの解消にも効果を発揮する可能性が考えられる。
【特許文献１】特許第２８５５０１１号公報（第２−３頁、図１）
【特許文献２】特許第２９２８６６９号公報（第２−３頁、図３）
【特許文献１】実用新案登録第２５３５１４６号公報（第２頁、図１）
【発明の開示】
【発明が解決しようとする課題】
【０００８】
しかしながら、上述の使い捨て吸収性物品では、次のような問題点がある。
【０００９】
特許文献１および２に記載された吸収性物品では、下層の吸収体と上層の吸収体とが、吸収性物品の幅方向中央に向かってプリーツが形成された左右の連結シートよって連結されており、この連結シートが左右にずれることで、上層の吸収体は下層の吸収体のずれに連動することはないものの、連結シートが左右にずれるためにはプリーツフィルタのフィルタの広がりを必要とするため、吸収性物品の着用時にプリーツの広がりが生じない状況であれば、結果的に両層の吸収体が連動してずれてしまうおそれがある。
【００１０】
また、特許文献３に記載された吸収性物品では、下層の吸収体の両側に空間が生じるように配設された左右の連結シートにより下層の吸収体と上層の吸収体とが連結されており、下層の吸収体が吸収体の両側と連結シートとの空間の幅で左右にずれても上層の吸収体が下層の吸収体のずれに連動することはないものの、連結シートが左右にずれるためには下層の吸収体と接触している連結シートとの滑りやすさが重要となるため、吸収体と連結シートとの摩擦係数が大きく滑りが良好でなければ、両層の吸収体は、結果的に連動してずれてしまうおそれがある。
【００１１】
すなわち、上下両層の吸収体のずれが連動してしまう場合には、それらに接合された表面シートと裏面シートも同様に連動してしまうため、表面シートが吸収性物品の着用者の肌からずれてしまい、表面シートと肌の擦れを生じさせるおそれがある。
【００１２】
本発明は、このような点に鑑みなされたもので、着用者の衣服や他の吸収性物品などが着用者の身体からずれた際の着用者の肌からのずれを抑制した使い捨て吸収性物品を提供することを目的とする。
【課題を解決するための手段】
【００１３】
請求項１記載の使い捨て吸収性物品は、表面シートと、裏面シートと、これら表面シートと裏面シートとの間に配設された吸収体とを有し、この吸収体の長手方向および幅方向の外方に、それぞれ長手方向フラップ部と幅方向フラップ部とが形成された使い捨て吸収性物品であって、前記裏面シートは、複数の合成樹脂シートが積層されて形成され、積層された前記合成樹脂シートは、両側の前記幅方向フラップ部の少なくとも一部にて、これら合成樹脂シート同士が連続して形成された連続部を備えているものである。
【００１４】
請求項２記載の使い捨て吸収性物品は、請求項１記載の使い捨て吸収性物品において、連続部は、幅方向両側部に長手方向に沿って形成され、積層された合成樹脂シート同士は、前記連続部以外の部分が接合されていないものである。
【００１５】
請求項３記載の使い捨て吸収性物品は、請求項１記載の使い捨て吸収性物品において、連続部は、幅方向両側部に長手方向に沿って形成され、積層された合成樹脂シート同士は、長手方向フラップ部の少なくとも一部にて接合されているものである。
【００１６】
請求項４記載の使い捨て吸収性物品は、請求項１記載の使い捨て吸収性物品において、積層された合成樹脂シート同士は、長手方向フラップ部の少なくとも一部にて、それぞれ接合されているものである。
【００１７】
請求項５記載の使い捨て吸収性物品は、請求項１ないし４いずれか一記載の使い捨て吸収性物品において、積層された合成樹脂シート同士の接触面での静摩擦係数が、０．６以下に設定されているものである。
【００１８】
請求項６記載の使い捨て吸収性物品は、請求項１ないし５いずれか一記載の使い捨て吸収性物品において、積層された合成樹脂シートの間に、静摩擦係数が０．５以下である中間合成樹脂シートが配設されているものである。
【００１９】
請求項７記載の使い捨て吸収性物品は、請求項１ないし５いずれか一記載の使い捨て吸収性物品において、積層された合成樹脂シート同士の内面に潤滑剤が塗布されているものである。
【発明の効果】
【００２０】
請求項１記載の発明によれば、複数の合成樹脂シートを積層して裏面シートを形成し、これら積層された合成樹脂シート同士が、両側の幅方向フラップ部の少なくとも一部にて連続することにより連続部を形成することで、各合成樹脂シートが外力を受けて接触面でずれ動くことが可能になり、衣服、あるいは併用する他の吸収性物品のずれにより、着用者の肌に当接しない側の合成樹脂シートがずれ動いた場合でも、着用者の肌に当接する側の合成樹脂シート、吸収体および表面シートが着用者の身体の一部と接触しているため固定されてずれに連動することがなく、これら表面シート、吸収体および着用者の肌に当接する側の合成樹脂シートの着用者の肌からのずれを抑制できる。
【００２１】
請求項２記載の発明によれば、連続部を、幅方向両側部に長手方向に沿って形成し、積層された合成樹脂シートの連続部以外の部分を接合しないことで、合成樹脂シートがよりずれやすくなり、着用者の衣服や他の吸収性物品などが着用者の身体からずれた際の着用者の肌からのずれを、より確実に抑制できる。
【００２２】
請求項３記載の発明によれば、連続部を幅方向両側部に長手方向に沿って形成し、積層された合成樹脂シート同士を、長手方向フラップ部の少なくとも一部にて接合することで、合成樹脂シートにずれが生じた際に、これら合成樹脂シートが長手方向フラップ部から離間されて使い勝手が低下することを防止できる。
【００２３】
請求項４記載の発明によれば、積層された合成樹脂シート同士を、幅方向フラップ部の少なくとも一部だけでなく、長手方向フラップ部の少なくとも一部でも接合することで、合成樹脂シートの接合範囲を拡げ、合成樹脂シートのずれを確保しつつ、これら合成樹脂シートがばらけない位置を適宜選択して接合できる。
【００２４】
請求項５記載の発明によれば、積層された合成樹脂シート同士の接触面での静摩擦係数を０．６以下に設定することで、合成樹脂シート同士が滑りやすくなって合成樹脂シート同士のずれが生じやすくなるので、このずれにより、着用者の衣服や他の吸収性物品などが着用者の身体からずれた際の着用者の肌からのずれを、より確実に抑制できる。
【００２５】
請求項６記載の発明によれば、積層された合成樹脂シートの間に、静摩擦係数が０．５以下である中間合成樹脂シートを配設することで、この中間合成樹脂シートを介して合成樹脂シート同士が滑りやすくなって合成樹脂シート同士のずれが生じやすくなるので、このずれにより、着用者の衣服や他の吸収性物品などが着用者の身体からずれた際の着用者の肌からのずれを、より確実に抑制できる。
【００２６】
請求項７記載の発明によれば、積層された合成樹脂シート同士の内面に潤滑剤を塗布することで、この潤滑剤を介して合成樹脂シート同士が滑りやすくなって合成樹脂シート同士のずれが生じやすくなるので、このずれにより、着用者の衣服や他の吸収性物品などが着用者の身体からずれた際の着用者の肌からのずれを、より確実に抑制できる。
【発明を実施するための最良の形態】
【００２７】
以下、本発明の第１の実施の形態の使い捨て吸収性物品の構成を図１ないし図４を参照して説明する。
【００２８】
図１ないし図４に使い捨て吸収性物品としての吸収性パッドＰを示し、この吸収性パッドＰは、着用者が着用するおむつ本体に重ねてインナとして使用されるものである。また、この吸収性パッドＰは、長方形状の表面シート１および裏面シート２の間に吸収体３が封着され、表面シート１の幅方向両側部を覆って、裏面シート２の表面側に立体ギャザ形成シート４，４が配設されている。そして、吸収性パッドＰには、吸収体３の長手方向両端外方に、幅方向に沿って長手方向フラップ部５が形成されているとともに、吸収体３の幅方向両側外方に、長手方向に沿って幅方向フラップ部６が形成されている。
【００２９】
表面シート１は、例えば、織布、不織布、多孔性フィルム、合成繊維などにて形成され、親水性、あるいは、尿などの排泄物を吸収体３に透過できる液透過性を有している。
【００３０】
裏面シート２は、表面シート１よりも幅寸法および長手寸法が大きい長方形状に形成され、表面シート１が接着剤などにより接合される合成樹脂シートとしての肌当接側合成樹脂裏面シート11と、合成樹脂シートとしての非肌当接側合成樹脂裏面シート12とが積層され、これら合成樹脂裏面シート11，12同士が左右幅方向両側部の連続部13にて長手方向に沿って連続して一体形成されている。
【００３１】
肌当接側合成樹脂裏面シート11は、着用者の肌側に位置するもので、滑りやすさを考慮して、例えばポリエチレンフィルムにより形成することが好ましい。
【００３２】
非肌当接側合成樹脂裏面シート12は、着用者の肌側でない外側に位置するもので、肌当接側合成樹脂裏面シート11と同様に、滑りやすさを考慮して、例えばポリエチレンフィルムにより形成することが好ましい。
【００３３】
さらに、これら合成樹脂裏面シート11，12は、例えば放電処理などの処理により、接触面での静摩擦係数が０．６以下に設定されている。この静摩擦係数は、例えばＪＩＳ Ｋ ７１２５による測定法にて求めた値である。そして、これら合成樹脂裏面シート11，12は、連続部13以外の部分が接合されないように形成されている。
【００３４】
また、非肌当接側合成樹脂裏面シート12の裏面側、すなわち肌当接側合成樹脂裏面シート11と反対側の主面、換言すれば裏面シート２の最外層には、粘着部材としての複数の粘着剤シート15，15，15が貼着されている。各粘着剤シート15は、着用者の衣服、あるいは、併用するおむつ本体などに吸収性パッドＰを固定するものである。
【００３５】
吸収体３は、尿などの排泄液を吸収できる、例えばパルプを主材料として一部に高分子吸収体などの物質を含んだ材料にて長方形状に形成され、肌当接側合成樹脂裏面シート11に接合されて固定されている。
【００３６】
各立体ギャザ形成シート４は、吸収性パッドＰの長手方向全体に亘ってそれぞれ連続し、吸収性パッドＰの幅方向に互いに離間されている。また、各立体ギャザ形成シート４は、表面シート１の左右両側縁部にて一側部がそれぞれ接合されているとともに、他側部が自由端状に形成され、この自由端状の他側部に、立体ギャザ用弾性部材17がそれぞれ配設され、各立体ギャザ用弾性部材17が各立体ギャザ形成シート４を収縮させることで、各立体ギャザ形成シート４の自由端状の他側部が図示しない立体ギャザ状に形成される。
【００３７】
次に、上記第１の実施の形態の作用を説明する。
【００３８】
展開状態とした図示しないおむつ本体に、上記吸収性パッドＰを股下に重ねた状態で、粘着剤シート15で吸収性パッドＰをおむつ本体に固定し、このおむつ本体を吸収性パッドＰとともに着用者の股下にあてがい、このおむつ本体を適宜折り曲げて着用者に固定する。
【００３９】
このとき、積層された合成樹脂裏面シート11，12は、幅方向フラップ部６にて連続部13，13が形成されていることで、合成樹脂裏面シート11，12は外力を受けて接触面で前後左右に大きくずれ動くことが可能になる。
【００４０】
この結果、吸収性パッドＰは、衣服、あるいは併用するおむつ本体のずれとともに非肌当接側合成樹脂裏面シート12がずれ動いた場合でも、肌当接側合成樹脂裏面シート11に接合されている吸収体３、あるいは、表面シート１などの一体部分は、着用者の身体の一部と接触してある程度の力で固定されているため、図４(a)および図４(b)に示すように、肌当接側合成樹脂裏面シート11は、非肌当接側合成樹脂裏面シート12のずれ動きに連動しない。このため、衣服、あるいは併用するおむつ本体がずれた場合でも、表面シート１、吸収体３および肌当接側合成樹脂裏面シート11などの一体部分がそれまで接触していた着用者の肌の一部からずれることによる着用者のスキントラブルの発生を抑制できる。
【００４１】
すなわち、衣服、あるいは併用するおむつ本体のずれが生じた際に、このずれを、合成樹脂裏面シート11，12のずれにより吸収することで、吸収体３あるいは表面シート１の位置は、装着位置からずれることがない。
【００４２】
また、連続部13，13が幅方向フラップ部６，６にて吸収性パッドＰの幅方向両側部にて長手方向に沿って形成され、連続部13，13以外の部分では合成樹脂裏面シート11，12が接合されていないため、合成樹脂裏面シート11，12のずれがより生じやすくなり、衣服、あるいは併用するおむつ本体の動きによるずれを、これら合成樹脂裏面シート11，12のずれによって、より確実に裏面シート２で吸収できる。
【００４３】
さらに、各粘着剤シート15により吸収性パッドＰを衣服、あるいは併用するおむつ本体に貼着して固定することで、非当接側合成樹脂裏面シート12は、衣服、あるいは併用するおむつ本体の動きに連動しやすくなり、この連動により吸収性パッドＰの装着位置が大きくずれてしまうおそれがあるため、衣服、あるいは併用するおむつ本体の動きによるずれを吸収できる本実施の形態の裏面シート２の効果を、より顕著に発揮できる。
【００４４】
そして、下記の表１に示すように、積層された合成樹脂裏面シート11，12の接触面での静摩擦係数を０．６以下としたことにより、図４(a)および図４(b)に示すように、合成樹脂裏面シート11，12が滑りやすくなるので、合成樹脂裏面シート11，12のずれが生じやすくなり、衣服、あるいは併用するおむつ本体の動きによるずれを、より確実に裏面シート２で吸収できる。
【００４５】
【表１】
2008012058.tif 000003
【００４６】
なお、上記第１の実施の形態において、裏面シート２は、合成樹脂裏面シート11，12同士を幅方向両側部で一体に連続して形成したが、図５に示す第２の実施の形態のように、それぞれ別個の合成樹脂裏面シート11，12同士を幅方向両側部にて接着剤などにより接合固定して連続部13としてもよい。
【００４７】
次に、第３の実施の形態を図６ないし図９を参照して説明する。なお、上記各実施の形態と同様の構成および作用については、同一符号を付してその説明を省略する。
【００４８】
この第３の実施の形態は、上記各実施の形態において、合成樹脂裏面シート11，12が長手方向フラップ部５，５の長手方向両端部において幅方向に連続した例えば接着剤などによる連続部としての接合部20にて接合されているものである。
【００４９】
この接合部20は、図７に示す接合可能領域21、すなわち、長手方向フラップ部５，５全体の少なくともいずれかの位置に形成すればよい。
【００５０】
このため、合成樹脂裏面シート11，12は、幅方向両側部の連続部13，13と、長手方向フラップ部５，５の接合部20，20とにより、外側縁部全体が連続するように形成されている。
【００５１】
そして、このように構成することにより、上記各実施の形態と同様の作用効果を奏することができるとともに、長手方向フラップ部５，５にて合成樹脂裏面シート11，12が接合されているため、これら合成樹脂裏面シート11，12が長手方向フラップ部５，５から離間されて使い勝手が低下することを抑制できる。
【００５２】
また、長手方向フラップ部５，５にて合成樹脂裏面シート11，12が連続的に接合されているため、図８および図９に示すように、合成樹脂裏面シート11，12がずれた場合に、これら合成樹脂裏面シート11，12の端部が長手方向フラップ部５，５からばらけて見栄えが悪化することを確実に防止できる。
【００５３】
なお、上記第３の実施の形態において、各接合部20は、少なくとも一部が接合されていれば、各長手方向フラップ部５全体に連続して形成していなくてもよい。
【００５４】
次に、第４の実施の形態を図１０ないし図１２を参照して説明する。なお、上記各実施の形態と同様の構成および作用については、同一符号を付してその説明を省略する。
【００５５】
この第４の実施の形態は、上記各実施の形態において、合成樹脂裏面シート11，12が長手方向フラップ部５，５の全体において幅方向に連続し、かつ、幅方向フラップ部６，６において吸収体３の両側縁部近傍にて長手方向に沿って連続して、例えば接着剤などによる連続部としての接合部22にて接合されているものである。
【００５６】
この接合部22は、図１１に示す接合可能領域23、すなわち、長手方向フラップ部５，５全体の少なくともいずれかの位置、および、幅方向フラップ部６，６全体の少なくともいずれかの位置に形成すればよい。
【００５７】
そして、合成樹脂裏面シート11，12は、長手方向フラップ部５，５の全体および各幅方向フラップ部６の両側縁部にて、連続部13および接合部22により連続している。
【００５８】
この結果、上記のように構成することで、図１２(a)および図１２(b)に示すように、肌当接側合成樹脂裏面シート11が、非肌当接側合成樹脂裏面シート12のずれ動きに連動しないため、上記各実施の形態と同様の作用効果を奏することができるとともに、積層された合成樹脂シートを、幅方向フラップ部６，６だけでなく、長手方向フラップ部５，５の少なくとも一部でも接合することで、合成樹脂裏面シート11，12のずれを確保しつつ、これら合成樹脂裏面シート11，12がばらけない位置を接合可能領域23から適宜選択して接合部22を形成できる。
【００５９】
また、接合部22を吸収体３の幅方向両側縁部に沿って形成することにより、合成樹脂裏面シート11，12が最もずれにくくなるものの、肌当接側合成樹脂裏面シート11に接合する吸収体３の接合面積を、少なくとも吸収体３の面積よりも小さくする、すなわち、吸収体３の一部のみを肌当接側合成樹脂裏面シート11に接合することで、合成樹脂裏面シート11，12のずれを確実に生じさせることができる。
【００６０】
さらに、上記第４の実施の形態において、図１３に示す第５の実施の形態のように、接合可能領域23を、吸収体３の幅方向両側縁部に重なる位置としてもよい。この場合には、合成樹脂裏面シート11，12の幅方向中心部での非接合部24の幅寸法を６０ｍｍ以上とすることが好ましい。
【００６１】
すなわち、例えば裏面シート２を幅寸法２５０ｍｍ×長手寸法４００ｍｍ、吸収体３を幅寸法１３０ｍｍ×長手寸法３００ｍｍ、各長手方向フラップ部５の幅寸法を５０ｍｍ、各幅方向フラップ部６の幅寸法を６０ｍｍとし、裏面シート２上に吸収体３を位置させ、裏面シート２を肌当接側合成樹脂裏面シート11と幅方向中心にて長手方向に沿って幅寸法２０ｍｍで接合した場合に、合成樹脂裏面シート11，12の非接合部24を下記表２に示すように、４０ｍｍ、６０ｍｍ、および、８０ｍｍとした際の裏面シート２のずれやすさを評価したところ、非接合部24の幅寸法が６０ｍｍ未満であれば、合成樹脂裏面シート11，12がずれなくなり、非接合部24の幅寸法が６０ｍｍ以上であれば、肌当接側合成樹脂裏面シート11に接合する吸収体３の接合面積を非接合部24の面積よりも小さくすることで合成樹脂裏面シート11，12のずれを、確実に生じさせることができる。
【００６２】
【表２】
2008012058.tif 000004
【００６３】
そして、上記各実施の形態において、裏面シート２は、３枚以上のポリエチレンフィルムなどの合成樹脂シートで構成してもよく、また、図１４に示す第６の実施の形態のように、合成樹脂裏面シート11，12間に、不織布シートなどの中間合成樹脂シート25を配設してもよい。この場合には、この中間合成樹脂シート25は滑りやすいものが好ましく、例えば静摩擦係数が０．５以下のものとすると、この中間合成樹脂シート25は、肌当接側の合成樹脂シート、あるいは非肌当接側の合成樹脂シートとしては適さなくとも、滑り性能に特化したシートを選定することで、合成樹脂裏面シート11，12が滑りやすくなるため、これら合成樹脂裏面シート11，12のずれが生じやすくなり、衣服、あるいは併用するおむつ本体の動きによるずれを、より確実に裏面シート２で吸収できる。
【００６４】
また、図１５に示す第７の実施の形態のように、合成樹脂裏面シート11，12同士の内面、すなわち合成樹脂裏面シート11，12間に、潤滑剤26を塗布する構成とすることも可能である。この場合でも、合成樹脂裏面シート11，12が滑りやすくなるため、これら合成樹脂裏面シート11，12のずれが生じやすくなり、衣服、あるいは併用するおむつ本体の動きによるずれを、より確実に裏面シート２で吸収できる。
【００６５】
さらに、図１６に示す第８の実施の形態のように、裏面シート２の最外層に、さらに他のポリエチレンフィルム、あるいは不織布シートなどの合成樹脂補強シート27を配設したり、接合して積層したりしてもよい。この場合には、裏面シート２がずれを繰り返すうちに破れてしまうことなどがないように、合成樹脂補強シート27により補強できる。
【図面の簡単な説明】
【００６６】
【図１】本発明の第１の実施の形態の使い捨て吸収性物品を一部を切り欠いて示す平面図である。
【図２】同上使い捨て吸収性物品を一部を省略して示す平面図である。
【図３】同上使い捨て吸収性物品を示す縦断正面図である。
【図４】(a)は同上使い捨て吸収性物品の左方向へのずれを示す縦断正面図、(b)は同上使い捨て吸収性物品の右方向へのずれを示す縦断正面図である。
【図５】本発明の第２の実施の形態の使い捨て吸収性物品を示す縦断正面図である。
【図６】本発明の第３の実施の形態の使い捨て吸収性物品を示す縦断側面図である。
【図７】同上使い捨て吸収性物品を一部を省略して示す平面図である。
【図８】同上使い捨て吸収性物品の合成樹脂シートのずれ状態での連続部の変形状態を示す縦断側面図である。
【図９】同上使い捨て吸収性物品の合成樹脂シートのずれ状態での連続部の変形状態を示す縦断側面図である。
【図１０】本発明の第４の実施の形態の使い捨て吸収性物品を示す縦断正面図である。
【図１１】同上使い捨て吸収性物品を一部を省略して示す平面図である。
【図１２】(a)は同上使い捨て吸収性物品の左方向へのずれを示す縦断正面図、(b)は同上使い捨て吸収性物品の右方向へのずれを示す縦断正面図である。
【図１３】本発明の第５の実施の形態の使い捨て吸収性物品を一部を省略して示す平面図である。
【図１４】本発明の第６の実施の形態の使い捨て吸収性物品を示す縦断正面図である。
【図１５】本発明の第７の実施の形態の使い捨て吸収性物品を示す縦断正面図である。
【図１６】本発明の第８の実施の形態の使い捨て吸収性物品を示す縦断正面図である。
【符号の説明】
【００６７】
Ｐ    使い捨て吸収性物品としての吸収性パッド
１    表面シート
２    裏面シート
３    吸収体
５    長手方向フラップ部
６    幅方向フラップ部
11    合成樹脂シートとしての肌当接側合成樹脂裏面シート
12    合成樹脂シートとしての非肌当接側合成樹脂裏面シート
13    連続部
20    連続部としての接合部
22    連続部としての接合部
25    中間合成樹脂シート
26    潤滑剤
【図１】
2008012058.tif 000005
【図２】
2008012058.tif 000006
【図３】
2008012058.tif 000007
【図４】
2008012058.tif 000008
【図５】
2008012058.tif 000009
【図６】
2008012058.tif 000010
【図７】
2008012058.tif 000011
【図８】
2008012058.tif 000012
【図９】
2008012058.tif 000013
【図１０】
2008012058.tif 000014
【図１１】
2008012058.tif 000015
【図１２】
2008012058.tif 000016
【図１３】
2008012058.tif 000017
【図１４】
2008012058.tif 000018
【図１５】
2008012058.tif 000019
【図１６】
2008012058.tif 000020